(57)【特許請求の範囲】
【請求項１】
モニタ支持体に対するモニタパネルの角度を変えるチルト機構を備えているモニタ可動システムにおいて、
前記モニタ支持体に対する前記モニタパネルの角度変化を指示するチルト操作端と、
前記チルト操作端が操作される毎に、前記チルト機構を動作させて、前記モニタ支持体に対する前記モニタパネルの角度を、予め設定された角度幅で、多段階的に変えるチルト制御手段と、
前記角度幅の設定を変える角度幅設定変更手段と、
を備えていることを特徴とするモニタ可動システム。
【請求項２】
請求項１に記載のモニタ可動システムにおいて、
前記モニタ支持体に対する前記モニタパネルの角度が変わるたびに、変更される前の該角度を記憶する角度記憶手段を備え、
前記チルト制御手段は、前記モニタ支持体に対する前記モニタパネルの角度が最大のときに、前記チルト操作端が操作されると、前記角度記憶手段に記憶されている前記角度になるよう、前記チルト機構を動作させる、
ことを特徴とするモニタ可動システム。
【発明の詳細な説明】
【０００１】
【発明の属する技術分野】
本発明は、モニタパネルの角度を変えるチルト機構を備えているモニタ可動システムに関する。
【０００２】
【従来の技術】
例えば、車両のナビゲーションシステムでは、従来、運転者の身長差の違いによるモニタ表示品位の悪化を是正するため、多段階的にモニタパネルの角度を変えるチルト機構を備えているものがある。
【０００３】
この技術では、チルト操作ボタンを一回押すと、例えば、本体に対するモニタパネルの角度が５°になり、次に、チルト操作ボタンを押すと、モニタパネルの角度が１０°になり、さらに、チルト操作ボタンを押すと、モニタパネルの角度が１５°になる。
【０００４】
【発明が解決しようとする課題】
しかしながら、従来技術では、モニタパネルの角度変化が多段階的であるため、運転者が適当と感じるモニタ角度に設定できない場合や、運転者が適当と感じるモニタ角度が大きい場合には、何度も、チルト操作ボタンを操作しなければならないという問題点がある。車両のナビゲーションシステムでは、運転中における運転者の負担をできる限り軽減することが望まれていることを考慮すると、以上の問題点を解決することは非常に重要なことである。
【０００５】
そこで、本発明は、このような従来の問題点に着目し、簡単且つ少ない操作で、操作者が適当と感じるモニタ角度に設定できるモニタ可動システムを提供することを目的とする。
【０００６】
【課題を解決するための手段】
前記目的を達成するためのモニタ可動システムは、
モニタ支持体に対するモニタパネルの角度を変えるチルト機構を備えているモニタ可動システムにおいて、
前記モニタ支持体に対する前記モニタパネルの角度変化を指示するチルト操作端と、
前記チルト操作端が操作される毎に、前記チルト機構を動作させて、前記モニタ支持体に対する前記モニタパネルの角度を、予め設定された角度幅で、多段階的に変えるチルト制御手段と、
前記角度幅の設定を変える角度幅設定変更手段と、
を備えていることを特徴とするものである。
【０００７】
ここで、前記モニタ可動システムにおいて、
前記モニタ支持体に対する前記モニタパネルの角度が変わるたびに、変更される前の該角度を記憶する角度記憶手段を備え、
前記チルト制御手段は、前記モニタ支持体に対する前記モニタパネルの角度が最大のときに、前記チルト操作端が操作されると、前記角度記憶手段に記憶されている前記角度になるよう、前記チルト機構を動作させるものであってもよい。
【０００８】
【発明の実施の形態】
以下、本発明に係るモニタ可動システムの実施形態について、図面を用いて説明する。
【０００９】
本実施形態のモニタ可動システムは、いわゆる車両のナビゲーションシステムである。このナビゲーションシステムは、図１に示すように、液晶モニタ１１及び各種操作端を有するモニタパネル１０と、液晶モニタ１１の表示内容等を制御する本体（モニタ支持体）２０と、本体２０に対するモニタパネル１０の角度を変えるチルト機構５０と、を備えている。
【００１０】
モニタパネル１０は、前述した液晶モニタ１１と、モニタパネル１０の角度（以下、チルト角度とする）の変更を指示するためのチルトボタン（チルト操作端）１２と、ポインティングデバイスとしてのジョイスティック１３と、液晶モニタ１１の電源ボタン１４と、を有している。
【００１１】
本体２０は、各種プログラム等を実行するＣＰＵ２１と、各種プログラムやデータ等が記憶されているＲＯＭ２２と、各種プログラムやデータ等が一時的に記憶されるＲＡＭ２３と、地図情報や音楽情報等の記憶媒体であるＣＤ３０を再生するＣＤドライバ３１と、このＣＤドライバ３１を制御するＣＤコントローラ３４と、音楽情報等の記憶媒体であるＭＤ４０を再生するＭＤドライバ４１と、ＭＤドライバ４１を制御するＭＤコントローラ４４と、チルト機構５０の動作を制御するチルトコントローラ２４と、モニタ等を制御するモニタコントローラ２５と、ＣＤドライバ内からＣＤ３０の排出を指示するためのＣＤエジェクトボタン３５ａと、このＣＤエジェクトボタン３５ａの表面に設けられているＣＤ有照明３５ｂと、ＭＤドライバ内からＭＤ４０の排出を指示するためのＭＤエジェクトボタン４５ａと、このＭＤエジェクトボタン４５ａの表面に設けられているＭＤ有照明４５ｂと、ＭＤ挿入口４７の存在位置を示すためのＭＤ挿入口照明４６と、を有している。
【００１２】
図３（ｂ）に示すように、本体２０の正面２９には、ＣＤを挿入するためのＣＤ挿入口３７と、照明付ＣＤエジェクトボタン３５（ＣＤエジェクトボタン３５ａとＣＤ有照明３５ｂとで構成）と、ＭＤを挿入するためのＭＤ挿入口４７と、照明付ＭＤエジェクトボタン４５（ＭＤエジェクトボタン４５ａとＭＤ有照明４５ｂとで構成）と、ＭＤ挿入口照明４６とが、設けられている。
【００１３】
ＣＤドライバ３１は、図２に示すように、ＣＤ再生部３２の他に、ＣＤドライバ内からＣＤ３０を排出する排出部３３と、ＣＤ３０の有無を検知するセンサ（図示されていない）とを有している。同様に、ＭＤドライバ４１も、ＭＤ録音再生部のほかに、ＭＤドライバ内からＭＤを排出する排出部と、ＭＤの有無を検知するセンサ（いずれも、図示されていない）とを有している。
【００１４】
チルト機構５０は、図２及び図３に示すように、モニタパネル１０の裏面が本体正面２９と対向している完全閉状態（図３（ａ））と、モニタパネル１０のモニタ表面が本体正面２９に対して垂直になる完全開状態（図３（ｂ））との間で、モニタパネル１０の角度を変更するものである。このチルト機構５０は、駆動リンク５１と、この駆動リンク５１を動作させる駆動機構５２と、駆動リンク５１の動作によって動く従動リンク５４とを有している。駆動機構５２には、動力源となるモータ５３が設けられている。駆動リンク５１の一端は、モニタパネル１０側面のほぼ中間部分にピン結合され、駆動リンク５１の他端は、駆動機構５２に連結され、駆動リンク５２の中間部は、本体２０にピン結合されている。従動リンク５４の一端は、モニタパネル１０側面の下部とピン結合され、従動リンク５４の中胴部及び他端部は、本体２０にスライド可能に設けられている。駆動リンク５１の他端部側には、ここの変位を検知することでモニタパネル１０の角度を検知するチルト角度センサ５５が設けられている。なお、図１において、チルト機構５０のモータ５３やチルト角度センサ５５は、本体外にあるように描いているが、実際には、図２に示すように、チルト機構５０のほとんどと、チルト角度センサ５５は、本体内に設けられている。
【００１５】
なお、本実施形態において、チルト制御手段は、チルトコントローラ２４と、このチルトコントローラ２４に対して指示を与えるＣＰＵ２１とを有して構成され、角度幅設定変更手段は、モニタパネル１０のジョイスティック１３と、モニタコントローラ２５と、このモニタコントローラ２５に対して指示を与えるＣＰＵ２１と、チルト角度幅及びチルト角度を記憶するＲＡＭ２３とを有して構成されている。
【００１６】
次に、本実施形態のナビゲーションシステムの操作及び動作について説明する。
【００１７】
モニタパネル１０のチルトボタン１２を押すと、この操作による信号がモニタコントローラ２５及びＣＰＵ２１に送信され、ＣＰＵ２１からチルトコントローラ２４を介して、チルト機構５０のモータ５３に対して駆動指示が出力される。モータ５３が駆動すると、図２に示すように、チルト機構５０の駆動リンク５１が中間ピンを中心として揺動し、この揺動に対して、モニタパネル１０の上端部が下方へ変位すると共に、モニタパネル１０の下端部及び従動リンク５４が前方へ変位する。この結果、モニタパネル１０は、パネル表面が本体正面２９と平行な完全閉状態から、本体正面２９に対して傾いた中間開状態になる。
【００１８】
ところで、本実施形態では、図５に示すように、チルトボタン１２を一回押す毎に、モニタパネル１０は、予め設定されたチルト角度幅ずつ多段階的にチルト角度が変わる。例えば、図５（ａ）に示すように、チルト角度幅を５°に設定した場合には、５°ずつチルト角度が変わる。つまり、完全閉状態のときにチルトボタン１２を一回押すと、チルト角度が５°になり、さらにチルトボタン１２を一回押すと、チルト角度が１０°になり、さらにチルトボタン１２を一回押すと、チルト角度が１５°になる。チルト角度が１５°のときに、チルトボタン１２を押すと、一気に完全開状態になる。また、完全開状態のときに、チルトボタン１２を比較的長めに押し続けると、一気に完全閉状態になる。
【００１９】
モニタパネル１０の実際のチルト角度は、チルト角度センサ５５により検知され、検知されたチルト角度が目的のチルト角度、例えば、５°になると、チルト角度センサ５５からの出力が入力するチルトコントローラ２４により、モータ駆動が止められる。
【００２０】
本体１０のＲＡＭ２３には、現在のチルト角度と、一つ前の状態のチルト角度とが記憶される。このチルト角度の記憶は、チルト角度が変わるたびに更新される。完全開状態の際に、チルトボタン１２を一回押すと、チルトコントローラ２４がＲＡＭ２３を参照して、一つ前の状態のチルト角度を読み出し、モニタパネル１０が一つ前の状態のチルト角度になるよう、モータ５３を駆動する。例えば、完全開状態の一つ前のチルト角度が１０°である場合、完全開状態でチルトボタン１２を一回押すと、チルト角度が１０°になる。
【００２１】
チルト角度幅の設定を１０°に変更すると、図５（ｂ）に示すように、チルトボタン１２を一回押す毎に、チルト角度が１０°ずつ変わる。
【００２２】
チルト角度幅の設定変更は、モニタパネル１０のジョイスティック１３を用いて行う。まず、図４（ａ）に示すように、メニュー画面上の複数項目のうちから、ジョイスティック１３を操作して、「チルト角度設定」を選択する。すると、モニタ１１には、「チルト角度幅大」と「チルト角度幅小」の二つのチルト角度幅に関する選択項目が表示される。「チルト角度幅大」とは、この実施形態においては、チルト角度幅１０°のことであり、「チルト角度幅小」とは、この実施形態においては、５°のことである。現在のチルト角度幅が５°で、運転者が小さいと感じた場合には、ジョイスティック１３を操作して、「チルト角度幅大」を選択する。「チルト角度幅大」が選択されると、この「チルト角度幅大」に対応するチルト角度幅１０°が本体１０のＲＡＭ２３に記憶され、以降、チルト角度幅が設定変更されない限り、チルトボタン１３を一回押す毎に、１０°ずつチルト角度が変わる。
【００２３】
以上のように、本実施形態では、モニタパネル１０のチルト角度変化が多段階的であるものの、チルト角度幅を設定変更できるので、運転者が適当と感じるチルト角度に設定することができる。また、運転者が適当と感じるチルト角度が大きくても、チルト角度幅を大きくすることで、チルトボタン１２の操作回数を減らすことができる。
【００２４】
なお、本実施形態では、チルト角度幅の表示を、「チルト角度幅大」と「チルト角度幅小」と、角度幅の程度で示したが、数値で示してもよい。また、本実施形態では、チルト角度幅の種類が二つであるが、三つ以上であってもよい。
【００２５】
【発明の効果】
以上のように、本発明では、モニタパネルのチルト角度変化が多段階的であるものの、チルト角度幅を設定変更できるので、操作者が適当と感じるチルト角度に設定することができる。また、操作者が適当と感じるチルト角度が大きくても、チルト角度幅を大きくすることで、チルト操作端の操作回数を減らすことができる。したがって、本発明によれば、簡単且つ少ない操作で、操作者が適当と感じるチルト角度に設定することができる。
【図面の簡単な説明】
【図１】本発明に係る一実施形態におけるナビゲーションシステムの構成ブロック図である。
【図２】本発明に係る一実施形態におけるチルト機構の構成図である。
【図３】本発明に係る一実施形態におけるナビゲーションシステムの全体斜視図である。
【図４】本発明に係る一実施形態におけるチルト角度幅設定画面を示す説明図である。
【図５】本発明に係る一実施形態におけるチルト角度幅を変更した際のチルト角度の変化を示す説明図である。
【符号の説明】
１０…モニタパネル、１１…モニタ、１２…チルトボタン（チルト操作端）、１３…ジョイスティック、２０…本体（モニタ支持体）、２１…ＣＰＵ、２２…ＲＯＭ、２３…ＲＡＭ、２４…チルトコントローラ、２５…モニタコントローラ、３０…ＣＤ、３１…ＣＤドライバ、３４…ＣＤコントローラ、３５…照明付ＣＤエジェクトボタン、３７…ＣＤ挿入口、４０…ＭＤ、４１…ＭＤドライバ、４４…ＭＤコントローラ、４５…照明付ＭＤエジェクトボタン、４６…ＭＤ挿入口照明、４７…ＭＤ挿入口、５０…チルト機構、５３…モータ、５５…チルト角度センサ。
【図１】
0004442950.tif 000002
【図２】
0004442950.tif 000003
【図３】
0004442950.tif 000004
【図４】
0004442950.tif 000005
【図５】
0004442950.tif 000006